(57)【特許請求の範囲】
【請求項１】
Ｗｅｂブラウザ機能を有する画像処理装置であって、
前記Ｗｅｂブラウザの画面に表示するコンテンツの取得先、該コンテンツの取得先のためにユーザによって設定された名称、及び、該コンテンツの表示画面におけるタイトルの表示を該名称とするか、又は、取得したコンテンツのページに定義されるタイトルタグの内容とするかを指定するタイトル制御情報を登録する登録手段と、
前記登録手段によって登録された複数の前記コンテンツの取得先の中から前記Ｗｅｂブラウザの画面に表示するコンテンツの取得先を選択する選択手段と、
前記選択手段によって選択されたコンテンツの取得先からコンテンツを取得する取得手段と、
前記取得手段によって取得されたコンテンツを表示し、前記コンテンツの取得先とともに登録された前記タイトル制御情報が前記名称を指定する場合には前記Ｗｅｂブラウザの画面におけるタイトル表示領域に前記登録された名称を表示し、前記タイトル制御情報が前記タイトルタグの内容を指定する場合には前記タイトル表示領域に前記取得したコンテンツの表示するページに関連する前記タイトルタグに定義された内容を表示する表示制御手段と
を備え、
前記表示制御手段は、
前記タイトル制御情報が前記タイトルタグの内容を指定する場合であって、かつ、前記取得したコンテンツの表示するページに関連する前記タイトルタグが定義されていない場合には、前記タイトル表示領域に前記登録された名称を表示することを特徴とする画像処理装置。
【請求項２】
前記表示制御手段は、
前記Ｗｅｂブラウザの画面に前記取得したコンテンツのページを表示している場合であって、かつ、該画面を介した操作者による操作に従ってページを遷移する場合には、遷移先のページに関連する前記タイトルタグに定義された内容を表示することを特徴とする請求項１に記載の画像処理装置。
【請求項３】
前記選択手段は、
前記登録手段によって登録された複数の前記コンテンツの取得先の一覧を表示する選択画面を表示し、該選択画面を介して操作者によって入力された情報に従って、前記Ｗｅｂブラウザの画面に表示するコンテンツの取得先を選択することを特徴とする請求項１又は２に記載の画像処理装置。
【請求項４】
Ｗｅｂブラウザ機能を有する画像処理装置の制御方法であって、
登録手段が、前記Ｗｅｂブラウザの画面に表示するコンテンツの取得先、該コンテンツの取得先のためにユーザによって設定された名称、及び、該コンテンツの表示画面におけるタイトルの表示を該名称とするか、又は、取得したコンテンツのページに定義されるタイトルタグの内容とするかを指定するタイトル制御情報を登録する登録ステップと、
選択手段が、前記登録ステップにおいて登録された複数の前記コンテンツの取得先の中から前記Ｗｅｂブラウザの画面に表示するコンテンツの取得先を選択する選択ステップと、
取得手段が、前記選択ステップにおいて選択されたコンテンツの取得先からコンテンツを取得する取得ステップと、
表示制御手段が、前記取得ステップにおいて取得されたコンテンツを表示し、前記コンテンツの取得先とともに登録された前記タイトル制御情報が前記名称を指定する場合には前記Ｗｅｂブラウザの画面におけるタイトル表示領域に前記登録された名称を表示し、前記タイトル制御情報が前記タイトルタグの内容を指定する場合には前記タイトル表示領域に前記取得したコンテンツの表示するページに関連する前記タイトルタグに定義された内容を表示する表示制御ステップと
を実行し、
前記表示制御ステップで、
前記タイトル制御情報が前記タイトルタグの内容を指定する場合であって、かつ、前記取得したコンテンツの表示するページに関連する前記タイトルタグが定義されていない場合には、前記タイトル表示領域に前記登録された名称を表示することを特徴とする画像処理装置の制御方法。
【請求項５】
請求項４に記載の画像処理装置の制御方法における各ステップをコンピュータに実行させるためのプログラム。
【発明の詳細な説明】
【技術分野】
【０００１】
本発明は、Ｗｅｂブラウザ機能を有する画像処理装置、その制御方法、及びプログラムに関するものである。
【背景技術】
【０００２】
Ｗｅｂブラウザ画面のタイトル表示領域にタイトルを表示する場合、ｈｔｍｌの記述ルールに従ってタイトルタグ内に記述することでＷｅｂブラウザがその記述を解釈しタイトル内容を表示することが一般的である。当然のことながらＷｅｂブラウザを利用するユーザはこの表示されたタイトルが実際に表示されているコンテンツのことを表しているものだと判断する。そのためＷｅｂブラウザ画面のタイトル情報は各コンテンツの情報を表す重要な情報となる。
【０００３】
特許文献１には、タイトルを動的に変更する仕組みが提案されている。この機能によると画面が遷移するごとに各ページで記述しているｈｔｍｌタグに基いた表示、及びタイトルを動的に表示することが可能であり、ユーザにとってより有益な情報を表示することができる。
【先行技術文献】
【特許文献】
【０００４】
【特許文献１】特開特開２００９−５４１８８号公報
【発明の概要】
【発明が解決しようとする課題】
【０００５】
しかしながら、従来技術には以下に記載する問題がある。例えば、特許文献１のようにｈｔｍｌで記述されたタイトルタグに基づいて表示する場合、各ページに意味のあるタイトルを表示可能な半面、画面数の多いＷｅｂアプリケーションでは、全てのページに最適なタイトルを記述することは煩わしいものである。また、各ページのｈｔｍｌの記述においてタイトルタグ自体が無い場合や、タイトルタグの中身が無い場合には、表示コンテンツのＵＲＬのみがタイトルに表示される仕様もあるため、ユーザが違和感を持つ可能性がある。また、各ページに記述されているタイトルタグの内容を表示するのではなく、特定ページをＷｅｂブラウザのお気に入りとして登録している場合、ユーザが任意の名前で登録したお気に入り名称を常にタイトル領域に表示するという機能もある。
【０００６】
本発明は、上述の問題に鑑みて成されたものであり、Ｗｅｂブラウザ機能を有するとともに、Ｗｅｂブラウザ画面のタイトル領域に表示する内容について、取得したコンテンツのページに定義されるタイトルタグに基づいた表示をするか、コンテンツの取得先ごとにユーザによって登録された名称に基づく表示をするかを指定可能とし、タイトルタグに基づいた表示をするよう指定された場合であって、取得したコンテンツの表示するページに関連するタイトルタグが定義されていない場合には、タイトル表示領域に、ユーザによって登録された名称を表示する画像処理装置、その制御方法、及びプログラムを提供することを目的とする。
【課題を解決するための手段】
【０００７】
本発明は、Ｗｅｂブラウザ機能を有する画像処理装置であって、前記Ｗｅｂブラウザの画面に表示するコンテンツの取得先、該コンテンツの取得先のためにユーザによって設定された名称、及び、該コンテンツの表示画面におけるタイトルの表示を該名称とするか、又は、取得したコンテンツのページに定義されるタイトルタグの内容とするかを指定するタイトル制御情報を登録する登録手段と、前記登録手段によって登録された複数の前記コンテンツの取得先の中から前記Ｗｅｂブラウザの画面に表示するコンテンツの取得先を選択する選択手段と、前記選択手段によって選択されたコンテンツの取得先からコンテンツを取得する取得手段と、前記取得手段によって取得されたコンテンツを表示し、前記コンテンツの取得先とともに登録された前記タイトル制御情報が前記名称を指定する場合には前記Ｗｅｂブラウザの画面におけるタイトル表示領域に前記登録された名称を表示し、前記タイトル制御情報が前記タイトルタグの内容を指定する場合には前記タイトル表示領域に前記取得したコンテンツの表示するページに関連する前記タイトルタグに定義された内容を表示する表示制御手段とを備え、前記表示制御手段は、前記タイトル制御情報が前記タイトルタグの内容を指定する場合であって、かつ、前記取得したコンテンツの表示するページに関連する前記タイトルタグが定義されていない場合には、前記タイトル表示領域に前記登録された名称を表示することを特徴とする。
【発明の効果】
【０００８】
本発明は、Ｗｅｂブラウザ機能を有するとともに、Ｗｅｂブラウザ画面のタイトル領域に表示する内容について、取得したコンテンツのページに定義されるタイトルタグに基づいた表示をするか、コンテンツの取得先ごとにユーザによって登録された名称に基づく表示をするかを指定可能とし、タイトルタグに基づいた表示をするよう指定された場合であって、取得したコンテンツの表示するページに関連するタイトルタグが定義されていない場合には、タイトル表示領域に、ユーザによって登録された名称を表示する画像処理装置、その制御方法、及びプログラムを提供できる。
【図面の簡単な説明】
【０００９】
【図１】一実施形態に係る画像処理装置を含む画像処理システムの構成例を示すブロック図である。
【図２】一実施形態に係るＷｅｂブラウザ画面を表す図である。
【図３】一実施形態に係るお気に入り項目を登録する画面の例を示す図である。
【図４】一実施形態に係るお気に入り項目を登録する処理を示したフローチャートである。
【図５】一実施形態に係るお気に入り項目を登録した後の情報を示す図である。
【図６】一実施形態に係るお気に入り項目を登録した後の一覧画面の例を示す図である。
【図７】一実施形態に係る画面遷移したときのタイトル表示を制御するフローチャートである。
【図８】一実施形態に係る画面遷移した時の表示例を示す図である。
【図９】一実施形態に係る画面遷移した時の表示例を示す図である。
【図１０】一実施形態に係る画面遷移した時の表示例を示す図である。
【発明を実施するための形態】
【００１０】
以下、本発明を実施するための形態について図面を用いて説明する。尚、以下の実施形態は特許請求の範囲に係る発明を限定するものでなく、また実施形態で説明されている特徴の組み合わせの全てが発明の解決手段に必須のものとは限らない。
【００１１】
＜画像処理装置の構成＞
以下では、図１乃至図１０を参照して、本発明の一実施形態について説明する。まず、図１を参照して、画像処理装置と、当該画像処理装置を含む画像処理システムの構成について説明する。本実施形態に係る画像処理システムでは、画像処理装置１００と、ホスト２００とがＬＡＮ１１１を介して接続されている。本画像処理装置１００は、Ｗｅｂブラウザ機能を有する。また、ホスト２００は、Ｗｅｂサーバとして機能する。
【００１２】
画像処理装置１００は、リーダ部１０１、プリンタ部１０２、及び画像入出力制御部１０３を備える。リーダ部１０１は、原稿の画像を読み取り、原稿画像に応じた画像データを画像入出力制御部１０３へ出力する。プリンタ部１０２は、画像入出力制御部１０３から出力される画像データに応じて画像を記録紙上に記録する。
【００１３】
画像入出力制御部１０３は、リーダ部１０１及びプリンタ部１０２に接続されており、ファクシミリ部１０４、ストレージ部１０５、ネットワークインタフェース部１０７、ＲＩＰ部１０８、操作部１０９、及びコア部１１０を備える。ホスト２００は、内部にＷｅｂサーバ部２０１を有しており、ＬＡＮ１１１を介して操作部１０９からアクセスすることができる。Ｗｅｂサーバ部２０１は、ホスト２００内にあり、ＬＡＮ１１１を通じてＷｅｂページの要求に応じて要求元に応答内容を返す。
【００１４】
ファクシミリ部１０４は、電話回線を介して受信した圧縮画像データを伸長して、伸長された画像データをコア部１１０へ転送したり、コア部１１０から転送された画像データを圧縮して、圧縮された圧縮画像データを、電話回線を介して送信したりする。送受信する画像データは、ストレージ部１０５に接続されたハードディスク１０６中に一時的に保存することができる。
【００１５】
ストレージ部１０５は、コア部１１０から転送された画像データを圧縮し、その画像データを検索するためのＩＤ番号とともにハードディスク１０６に記憶させる。また、ストレージ部１０５はコア部１１０を介して転送されたコードデータに基づいてハードディスク１０６に記憶されている圧縮画像データを検索し、検索された圧縮画像データを読み出して伸長し、伸長された画像データをコア部１１０へ転送する。
【００１６】
ネットワークインタフェース部１０７は、ＬＡＮ１１１とコア部１１０との間のインタフェースである。ＲＩＰ部１０８は、ＬＡＮ１１１から転送されたコードデータ（ＰＤＬ）をプリンタ部１０２で記録できる画像データに展開する。操作部１０９は、タッチパネルディスプレイとハードキーを備え、ユーザインタフェースにより、本画像処理装置への動作指示や動作設定等を行うものである。アプリケーションとしては、コピー、プリント、センド（文書の送信）、ボックス（文書の保存）、Ｗｅｂブラウザ等の機能を有する。
【００１７】
コア部１１０は、リーダ部１０１、プリンタ部１０２、ファクシミリ部１０４、ストレージ部１０５、ネットワークインタフェース部１０７、ＲＩＰ部１０８、及び操作部１０９間のデータの流れを制御するものである。コア部１１０は、ＣＰＵ，ＲＯＭ，ＲＡＭ等を備えている。ＣＰＵが、ＲＯＭに記憶されたプログラムをＲＡＭ上で実行することにより装置全体を統括的に制御する。
【００１８】
＜基本画面＞
次に、図２を参照して、画像処理装置の操作部１０９上で動作するＷｅｂブラウザ画面の基本画面について説明する。図２に示すように、Ｗｅｂブラウザ画面３００は、操作部１０９上に表示され、ＣＰＵを含むコア部１１０によって表示が制御される。操作部１０９に表示されているＷｅｂブラウザ画面３００には、ネットワークインタフェース部１０７及びＬＡＮ１１１を通して、Ｗｅｂサーバ部２０１と通信し、Ｗｅｂサーバ部２０１から送信されたＷｅｂページのコンテンツが表示される。
【００１９】
Ｗｅｂブラウザ画面３００は、タイトル表示領域３０１、及びコンテンツ表示領域３０２を有し、ＵＲＬ入力エリア３０３で入力されて呼び出したページ内容、又は後述するお気に入りページの内容をそれぞれ反映する。３０４〜３０９はＷｅｂブラウザ画面３００の機能ボタンである。ボタン３０４は、タブページを新規に開くボタンである。ボタン３０５は、選択したタブページを閉じるボタンである。ボタン３０６は、表示中のコンテンツを前のページに戻すボタンである。ボタン３０７は、表示中のコンテンツを次のページに進めるボタンである。ボタン３０８は、お気に入り画面を表示するボタンである。ボタン３０９は、Ｗｅｂブラウザ設定画面を開くボタンである。
【００２０】
＜登録画面＞
次に、図３を参照して、図２に示すＷｅｂブラウザ画面３００のうち、お気に入りボタン３０８が押下されて遷移した後のお気に入りの登録画面について説明する。ここで、お気に入りとは、操作者が所望する、Ｗｅｂブラウザ画面に表示するコンテンツを示す。操作者はお気に入りのコンテンツを取得するための取得先を登録することができる。お気に入り登録ダイアログ４００のうち、名称入力部４０１はお気に入りの名称を任意で入力することができる。ＵＲＬ入力部４０２は、お気に入りに登録されるＵＲＬを任意で入力することができる。なお、名称入力部４０１及びＵＲＬ入力部４０２には、本お気に入り登録ダイアログ４００が表示されたタイミングで、直前に表示されていたページのタイトル、ＵＲＬが自動的に反映される。
【００２１】
タイトル表示制御部４０３は、タイトル表示領域３０１に表示する表示内容を選択するためのチェックボックスである。ここでは、”お気に入りの名前をタイトル表示する”が選択されると、名称入力部４０１に入力された名称をタイトル表示領域３０１に表示する。一方、”コンテンツのタイトルを表示する”が選択されると、お気に入りに登録するサイトの各ページにｈｔｍｌで記述されているタイトルタグの内容を都度表示する。
【００２２】
＜登録処理＞
次に、図４を参照して、図３のＷｅｂブラウザ画面を介してお気に入り登録された際の処理手順について説明する。なお、以下で説明する処理は、コア部１１０のＣＰＵが、ＲＯＭに記憶されたプログラムをＲＡＭ上で実行することにより実現される。
【００２３】
まず、Ｓ１００において、ＣＰＵは、Ｗｅｂブラウザ画面３００におけるタイトル表示制御部４０３で選択された情報が、お気に入り名称であるか、又はタイトルタグの内容であるかを判定する。判定した結果、お気に入り名称を表示する場合はＳ１０１に進み、ＣＰＵは、お気に入り名称を表示する識別子「お気に入り名称」を設定し、Ｓ１０３に進む。一方、タイトルタグの内容を表示すると判定した場合は、Ｓ１０２に進み、ＣＰＵは、コンテンツの各ページに関連するタイトルタグで表示する識別子「タイトルタグの内容」を設定し、Ｓ１０３に進む。なお、上記識別子とは、タイトル制御情報の一例である。
【００２４】
Ｓ１０３において、ＣＰＵは、名称入力部４０１で入力された内容、即ち、お気に入り名称を設定し、Ｓ１０４でＵＲＬ入力部４０２で入力された内容を設定する。続いて、Ｓ１０５において、ＣＰＵは、Ｓ１０１乃至Ｓ１０４で設定された内容を登録し、お気に入り登録処理を終了する。ここで、登録とは、例えば、ハードディスク１０６へお気に入り情報を格納することを示す。
【００２５】
＜お気に入り情報＞
次に、図５を参照して、Ｓ１０５で登録され、Ｗｅｂブラウザで保持しているお気に入り情報について説明する。当該お気に入り情報は、図４のお気に入り登録のフローチャートに示す処理を実行することによって登録された情報を表している。Ｗｅｂブラウザお気に入り情報５００は、Ｗｅｂブラウザのお気に入り情報として、例えば、ハードディスク１０６に保持される。お気に入り情報としては、少なくとも１つのお気に入りに対して５０１で示すような複数の項目ごとに保持する。
【００２６】
具体的には、お気に入り情報は、「お気に入りＮｏ」、「お気に入り名称」、「ＵＲＬ」、及び「タイトル識別子（タイトル制御情報）」を含む。「お気に入りＮｏ」は、お気に入り登録時に自動でつけられる連番を示す。「お気に入り名称」は図３の名称入力部４０１で入力された内容を示す。「お気に入りＵＲＬ」は図３のＵＲＬ入力部４０２で入力された内容を示す。「タイトル識別子」は図３のタイトル表示制御部４０３及び図４のフローチャートのＳ１０１、Ｓ１０２で設定された内容を示す。つまり、コンテンツの表示画面におけるタイトル領域にお気に入り名称を表示する場合は「お気に入り名称」、タイトル領域にタイトルタグの内容を表示する場合は「タイトルタグ」が指定される。以上のようなお気に入り情報をお気に入り情報５０２、５０３のようにまとめて保持する。
【００２７】
＜お気に入り一覧画面＞
次に、図６を参照して、Ｗｅｂブラウザ画面３００のうちお気に入りボタン３０８を押下して遷移した後のお気に入り一覧画面（選択画面）について説明する。ＣＰＵは、Ｓ１０５でハードディスク１０６に格納された登録情報、即ち、お気に入り情報を取得し、その一覧をＷｅｂブラウザ画面３００に表示する。図６に示すように、お気に入り一覧ダイアログ６００には図４のお気に入り登録フローで登録した名称が表示されており、この表示された名称を選択すると指定のＵＲＬを取得しページが表示される。
【００２８】
＜表示処理＞
次に、図７を参照して、図６で示したお気に入り一覧ダイアログ６００からの呼び出し、お気に入りページが呼び出された後にリンクやボタンをユーザ（操作者）に押下された場合の表示処理について説明する。なお、以下で説明する処理は、コア部１１０のＣＰＵが、ＲＯＭに記憶されたプログラムをＲＡＭ上で実行することにより実現される。
【００２９】
Ｓ２００において、ＣＰＵは、お気に入り呼び出しの指示を受けると、ハードディスク１０６に格納されているお気に入り情報５００から呼び出されたお気に入り情報を取得する。続いて、Ｓ２０１において、ＣＰＵは、お気に入り情報から取得したＵＲＬに基づいて、指定ＵＲＬのコンテンツを取得し、Ｓ２０２において取得したページを解析する。
【００３０】
次に、Ｓ２０３において、図３に示すお気に入り登録画面を介して登録されたタイトル表示制御の識別子を取得する。続いて、Ｓ２０４において、ＣＰＵは、取得したタイトル表示制御の識別子が、お気に入り名称を表示することを示すか、又はタイトルタグの名称を表示することを示すかを判定する。判定の結果、お気に入り名称を表示することを示す場合はＳ２０５に進み、ＣＰＵは、お気に入り名称をタイトルに設定し、Ｓ２１０に進む。
【００３１】
一方、タイトルタグの内容を表示する場合はＳ２０６に進み、ＣＰＵは、Ｓ２０２で解析したページにタイトルタグがあるか否かを判定する。判定の結果、タイトルタグが無いと判断した場合はＳ２０５に進み、ＣＰＵは、お気に入り名称をタイトルに設定し、Ｓ２１０に進む。一方、タイトルタグがあると判定した場合にはＳ２０７に進み、ＣＰＵは、表示するページに関連するタイトルタグの内容を取得し、Ｓ２０８においてＳ２０７で取得したタイトルタグの内容が定義されているか否かを判定する。判定の結果、タイトルタグの内容が定義されていないと判定した場合にはＳ２０５に進み、ＣＰＵは、お気に入り名称をタイトルに設定し、Ｓ２１０に進む。一方、タイトルタグの内容が定義されていると判定した場合にはＳ２０９に進み、ＣＰＵは、表示するページに関連するタイトルタグの内容をタイトルに設定し、Ｓ２１０に進む。
【００３２】
タイトルを設定すると、Ｓ２１０において、ＣＰＵは、設定されたタイトルをタイトル領域に表示し、Ｓ２１１で指定ＵＲＬページを表示する。その後、Ｓ２１２において、ＣＰＵは、Ｓ２００からのお気に入りページ表示後、リンクやボタン押下などによりさらに画面遷移があるかどうかを検知する。画面遷移を検知した場合にはＳ２０１に進み、ＣＰＵは、引継つづき指定ＵＲＬページの取得を行いタイトル表示制御を行う。一方、画面遷移を検知しない場合はＳ２１３に進み、ＣＰＵは、Ｗｅｂブラウザが終了されたかどうかを判定する。終了しない場合にはＳ２１２に戻り画面遷移の検知を行う。一方Ｗｅｂブラウザの終了を検知すると、ＣＰＵは、Ｗｅｂブラウザの機能を終了する。
【００３３】
＜画面遷移＞
次に、図８乃至図１０を参照して、画面遷移について説明する。図８は、図５で示したお気に入り情報５００において、タイトル識別子が「お気に入り名称」と設定されていた場合の画面遷移を表している。
【００３４】
Ｗｅｂブラウザ画面７００は、図６のお気に入り一覧ダイアログ６００から呼び出されコンテンツ７０２の記述に従って表示されている。コンテンツの記述でタイトルタグに＜ＴＩＴＬＥ＞ＳｃａｎＴｏＦＴＰ Ｓｅｒｖｉｃｅ＜／ＴＩＴＬＥ＞と記述されているが、タイトル領域７０１にはお気に入り名称であるＳｃａｎＴｏＦＴＰと表示されている。これは、タイトル識別子が「お気に入り名称」と設定されているためである。
【００３５】
Ｗｅｂブラウザ画面８００は、コンテンツ８０２の記述に従って表示されている。コンテンツの記述でタイトルタグに＜ＴＩＴＬＥ＞ＳｃａｎＴｏＦＴＰ Ｓｅｔｔｉｎｇ＜／ＴＩＴＬＥ＞と記述されているが、タイトル領域８０１にはＳｃａｎＴｏＦＴＰと表示されている。これは、タイトル識別子が「お気に入り名称」と設定されているためである。このようにＷｅｂブラウザ画面７００からＷｅｂブラウザ画面８００に画面遷移しても、タイトル表示制御の設定によってお気に入り名称を表示するように設定されている場合は、お気に入り名称が常に表示されることとなる。
【００３６】
図９は、図５で示したお気に入り情報５００において、タイトル識別子が「タイトルタグ」と設定されていた場合の画面遷移を表している。
【００３７】
Ｗｅｂブラウザ画面９００は、図６のお気に入り一覧ダイアログ６００から呼び出されコンテンツ９０２の記述に従って表示されている。コンテンツの記述でタイトルタグに＜ＴＩＴＬＥ＞ＳｃａｎＴｏＦＴＰ Ｓｅｒｖｉｃｅ＜／ＴＩＴＬＥ＞と記述されているため、タイトル領域９０１にはお気に入り名称であるＳｃａｎＴｏＦＴＰ Ｓｅｒｖｉｃｅと表示される。これは、タイトル識別子が「タイトルタグ」と設定されているためである。
【００３８】
Ｗｅｂブラウザ画面１０００は、コンテンツ１００２の記述に従って表示されている。コンテンツの記述でタイトルタグに＜ＴＩＴＬＥ＞ＳｃａｎＴｏＦＴＰ Ｓｅｔｔｉｎｇ＜／ＴＩＴＬＥ＞と記述されているため、タイトル領域１００１にはＳｃａｎＴｏＦＴＰ Ｓｅｔｔｉｎｇと表示される。これは、タイトル識別子が「タイトルタグ」と設定されているためである。このようにＷｅｂブラウザ画面９００からＷｅｂブラウザ画面１０００に画面遷移すると、タイトル識別子が「タイトルタグ」と設定されているため、各ページのタイトルタグの内容が表示される。
【００３９】
図１０は、図５で示したお気に入り情報５００において、タイトル識別子が「タイトルタグ」と設定されていた場合の画面遷移を表している。しかし、図９とは異なり、図７のフローチャートで示したＳ２０６及びＳ２０８においてタイトルタグ自体やタイトルタグの内容が無い場合の画面遷移を表している。
【００４０】
Ｗｅｂブラウザ画面１１００は、図６のお気に入り一覧ダイアログ６００から呼び出されコンテンツ１１０２の記述に従って表示されている。コンテンツの記述でタイトルタグの内容が定義されていないため、タイトル領域１１０１にはお気に入り名称であるＳｃａｎＴｏＦＴＰが表示される。これは、タイトル識別子が「タイトルタグ」と設定されているものの、タイトルタグの内容が定義されていないためである。
【００４１】
Ｗｅｂブラウザ画面１２００は、コンテンツ１２０２で記述に従って表示されている。コンテンツの記述でタイトルタグに＜ＴＩＴＬＥ＞ＳｃａｎＴｏＦＴＰ Ｓｅｔｔｉｎｇ＜／ＴＩＴＬＥ＞と記述されているため、タイトル領域１２０１にはＳｃａｎＴｏＦＴＰ Ｓｅｔｔｉｎｇと表示される。
【００４２】
このように、Ｗｅｂブラウザ画面１１００では、タイトルタグの内容が無いためお気に入り名称がタイトルに表示される。しかし、遷移先画面となるＷｅｂブラウザ画面１２００のページにタイトルタグの内容が正しく記述されている場合は、記述されたタイトルタグの内容が表示される。
【００４３】
以上説明したように、本実施形態に係る画像処理装置によれば、Ｗｅｂブラウザでお気に入り登録をする際に、お気に入り名称をタイトルに表示するように設定しておくことで、常にユーザにとって違和感のない表示が可能となる。また、Ｗｅｂブラウザでお気に入り登録をする際に、タイトルタグ名称をタイトルに表示するように設定することで、各ページの意図したタイトルが常に表示されることによりユーザにとってきめ細かい表示が可能となる。これらのタイトル表示制御をユーザがお気に入り登録時に選択可能とすることで、ＷｅｂサイトやＷｅｂアプリケーション、及びユーザの都合に合わせた表示が可能となる。
【００４４】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005825937.tif 000002
【図２】
0005825937.tif 000003
【図３】
0005825937.tif 000004
【図４】
0005825937.tif 000005
【図５】
0005825937.tif 000006
【図６】
0005825937.tif 000007
【図７】
0005825937.tif 000008
【図８】
0005825937.tif 000009
【図９】
0005825937.tif 000010
【図１０】
0005825937.tif 000011